(57)【要約】【課題】携帯情報端末の比較的小さな表示領域に生体情報が表示される場合において、ユーザによる情報の確認作業を支援する。【解決手段】携帯情報端末１は、被検者に装着されたセンサから当該被検者の生体情報に対応するセンサ信号を受信する。当該センサ信号に基づいて、当該被検者の生体情報の経時変化を示す波形がディスプレイ１２に表示される。ユーザインターフェースが所定の操作を受け付けると、ディスプレイ１２に表示された波形の一部が指定され、当該波形の一部のトリミング画像Ｔがディスプレイ１２に表示される。【選択図】図４
2019168951.tif 000002
【特許請求の範囲】
【請求項１】
被検者の生体情報に対応するセンサ信号を受信する無線通信装置と、
前記センサ信号に基づいて、前記被検者の生体情報の経時変化を示す波形を表示するディスプレイと、
所定の操作を受け付けるユーザインターフェースと、
を備えており、
前記所定の操作により前記波形の一部が指定されると、当該波形の一部のトリミング画像が前記ディスプレイに表示される、
携帯情報端末。
【請求項２】
前記トリミング画像は、前記波形に重畳して表示される、
請求項１に記載の携帯情報端末。
【請求項３】
前記トリミング画像の背後に位置する前記波形の視認性が低下される、
請求項２に記載の携帯情報端末。
【請求項４】
前記トリミング画像は、前記波形の一部の拡大画像を含む、
請求項１から３のいずれか一項に記載の携帯情報端末。
【請求項５】
前記波形の一部の付帯情報が、前記トリミング画像とともに前記ディスプレイに表示される、
請求項１から４のいずれか一項に記載の携帯情報端末。
【請求項６】
前記ユーザインターフェースは、前記ディスプレイに対するタッチ入力を許容するタッチパネル装置であり、
前記所定の操作は、ピンチアウト操作である、
請求項１から５のいずれか一項に記載の携帯情報端末。
【請求項７】
被検者の生体情報に対応するセンサ信号を無線送信するセンサと、
プロセッサを備えており、前記センサ信号を受信する携帯情報端末と、
を含む生体情報管理システムにおいて、前記プロセッサにより実行される生体情報管理方法であって、
前記センサ信号に基づいて、前記被検者の生体情報の経時変化を示す波形を前記携帯情報端末のディスプレイに表示し、
前記携帯情報端末のユーザインターフェースを通じて前記波形の一部が指定されると、当該波形の一部のトリミング画像を前記ディスプレイに表示する、
生体情報管理方法。
【請求項８】
請求項７に記載の生体情報管理方法を携帯情報端末に実行させる、
生体情報管理プログラム。
【請求項９】
請求項８に記載の生体情報管理プログラムが記憶されている、
コンピュータが読み取り可能な記憶媒体。
【発明の詳細な説明】
【技術分野】
【０００１】
本開示は、被検者の生体情報を管理するための携帯情報端末、生体情報管理方法、当該生体情報管理方法を携帯情報端末に実行させる生体情報管理プログラム、および当該生体情報管理プログラムが記憶されたコンピュータが読み取り可能な記憶媒体に関連する。
【背景技術】
【０００２】
被検者の生体情報を携帯情報端末上で確認したいという要望がある。特許文献１に記載された構成は、このような要望に応えようとするものである。
【先行技術文献】
【特許文献】
【０００３】
【特許文献１】特開２０１５−５２１３０８号公報
【発明の概要】
【発明が解決しようとする課題】
【０００４】
本開示は、携帯情報端末の比較的小さな表示領域に生体情報が表示される場合において、ユーザによる情報の確認作業を支援することを目的とする。
【課題を解決するための手段】
【０００５】
上記の目的を達成するための一態様は、携帯情報端末であって、
被検者の生体情報に対応するセンサ信号を受信する無線通信装置と、
前記センサ信号に基づいて、前記被検者の生体情報の経時変化を示す波形を表示するディスプレイと、
所定の操作を受け付けるユーザインターフェースと、
を備えており、
前記所定の操作により前記波形の一部が指定されると、当該波形の一部のトリミング画像が前記ディスプレイに表示される。
【０００６】
上記の目的を達成するための一態様は、
被検者の生体情報に対応するセンサ信号を無線送信するセンサと、
プロセッサを備えており、前記センサ信号を受信する携帯情報端末と、
を含む生体情報管理システムにおいて、前記プロセッサにより実行される生体情報管理方法であって、
前記センサ信号に基づいて、前記被検者の生体情報の経時変化を示す波形を前記携帯情報端末のディスプレイに表示し、
前記携帯情報端末のユーザインターフェースを通じて前記波形の一部が指定されると、当該波形の一部のトリミング画像を前記ディスプレイに表示する。
【０００７】
携帯情報端末のディスプレイは、比較的小さいことが一般的である。したがって、視認性を優先して波形の画像を大きくすると表示可能な情報量が制限され、一覧性を優先して多くの生体情報を表示すると、個々の情報の大きさが小さくなることが避けられない。しかしながら、上記の構成によれば、まず所望量の生体情報がディスプレイに表示されることによって一覧性が確保される。続いてより詳細な確認を要する箇所が指定されると、当該箇所の画像情報のみを含むトリミング画像が表示されるので、被検者自身や医療従事者を含むユーザの視線がトリミング画像内に導かれ、波形の注視が容易とされる。したがって、携帯情報端末の比較的小さな表示領域に生体情報が表示される場合において、ユーザによる情報の確認作業を支援できる。
【０００８】
上記の目的を達成するための一態様は、上記の生体情報管理方法を携帯情報端末に実行させる、生体情報処理プログラムである。
【０００９】
上記の目的を達成するための一態様は、上記の生体情報処理プログラムが記憶されている、コンピュータが読み取り可能な記憶媒体である。
【図面の簡単な説明】
【００１０】
【図１】一実施形態に係る携帯情報端末の機能構成を示している。
【図２】上記の携帯情報端末により行なわれる処理の流れを示している。
【図３】上記の携帯情報端末のディスプレイにおける表示例を示している。
【図４】上記の携帯情報端末のディスプレイにおける表示例を示している。
【図５】上記の携帯情報端末のディスプレイにおける表示例を示している。
【発明を実施するための形態】
【００１１】
添付の図面を参照しつつ、実施形態の例を以下詳細に説明する。図１は、一実施形態に係る携帯情報端末１の機能構成を示している。
【００１２】
携帯情報端末１は、表示機能と情報処理機能を有する可搬型の装置である。携帯情報端末１としては、スマートフォン、タブレット端末、ヘッドマウントディスプレイなどが例示されうる。携帯情報端末１は、少なくとも一人の被検者に装着される少なくとも一つのセンサ２とともに生体情報管理システムを構成する。
【００１３】
センサ２は、被検者の生体情報を検出し、当該生体情報に対応するセンサ信号Ｓを出力する構成を備えている。生体情報としては、体温、血圧、心電図、筋電図、脳波、動脈血酸素飽和度（ＳｐＯ２）、呼吸気における二酸化炭素または酸素の濃度または分圧などが例示されうる。
【００１４】
携帯情報端末１は、無線通信装置１１を備えている。無線通信装置１１は、センサ２と無線通信を行なうことが可能な通信インターフェースを備えている。そのようなインターフェースとしては、ＲＦＩＤ（Radio Frequency Identification）、ＮＦＣ（Near Field Communication）、Bluetooth（登録商標）やWi-Fiなどの規格に準拠した通信インターフェースが例示されうる。無線通信装置１１は、少なくとも一人の被検者に装着された少なくとも一つのセンサ２から少なくとも一つのセンサ信号Ｓを受信する。
【００１５】
携帯情報端末１は、ディスプレイ１２を備えている。ディスプレイ１２は、各種の情報を表示可能に構成されている。ディスプレイ１２としては、液晶表示装置や有機ＥＬ表示装置が例示されうる。
【００１６】
携帯情報端末１は、ユーザインターフェース１３を備えている。ユーザインターフェース１３は、ユーザから所定の操作を受け付けるように構成されている。ユーザインターフェース１３としては、ボタンやレバーなどの物理的スイッチ、ディスプレイ１２と一体化されてタッチ入力を許容するタッチパネル装置、音声指示の入力を受け付ける音声認識装置、視線入力による指示を受け付ける視線認識装置などが例示されうる。
【００１７】
携帯情報端末１は、制御部１４を備えている。制御部１４は、プロセッサを備えている。プロセッサは、後述する生体情報管理方法の少なくとも一部を実行するように構成されている。プロセッサの機能は、メモリと協働して動作する汎用マイクロプロセッサにより実現されてもよいし、マイクロコントローラ、ＦＰＧＡ、ＡＳＩＣなどの専用集積回路によって実現されてもよい。
【００１８】
携帯情報端末１は、通信バス１５を備えている。無線通信装置１１、ディスプレイ１２、ユーザインターフェース１３、および制御部１４は、通信バス１５を介して相互に信号やデータのやり取りが可能とされている。
【００１９】
図２は、上記のように構成された携帯情報端末１において行なわれる生体情報管理方法の一例を示している。携帯情報端末１において実行される処理は、制御部１４の制御下において行なわれる。
【００２０】
携帯情報端末１は、被検者に装着されたセンサ２から受信したセンサ信号Ｓに基づいて、当該被検者の生体情報の経時変化を示す波形を、ディスプレイ１２に表示する（ＳＴＥＰ１）。
【００２１】
図３の（Ａ）は、表示態様の一例を示している。本例においては、一人の被検者に装着された複数のセンサ２から受信した複数のセンサ信号Ｓに基づいて、複数種の生体パラメータの経時的変化を示す複数の波形が、ディスプレイ１２に表示されている。例えば、単一チャネルの心電図の経時変化を示す波形、非観血動脈血酸素飽和度の経時変化を示す波形、および呼吸気における二酸化炭素濃度の経時変化を示す波形が表示されうる。
【００２２】
図３の（Ｂ）は、表示態様の別例を示している。本例においては、一人の被検者に装着された複数のセンサ２から受信した複数のセンサ信号Ｓに基づいて、複数チャネルの心電図の経時変化を示す複数の波形が、ディスプレイ１２に表示されている。
【００２３】
図示を省略するが、一人の被検者の単一チャネルの心電図の経時変化を示す波形が、複数行にわたってカスケード表示されてもよい。あるいは、複数の被検者について少なくとも一つの生体情報の経時変化を示す波形が表示されてもよい。
【００２４】
続いて、図４の（Ａ）に示されるように、ディスプレイ１２に表示された波形の一部が指定される（図２におけるＳＴＥＰ２）。具体的には、ユーザインターフェース１３が所定の操作を受け付けることにより、波形の一部の指定がなされる。同図において選択された領域は破線で囲まれている。
【００２５】
本明細書において「波形の一部の指定」とは、複数の被検者に係る波形を表示する複数の領域から一人の被検者に係る一つの領域を選択すること、一人の被検者に係る複数種の生体パラメータの経時変化を示す複数の波形から一つの波形を選択すること、一人の被検者に係る特定の生体パラメータの経時変化を示す波形の一部（すなわち特定の時間範囲）を指定することなどを通じて、初めにディスプレイ１２に表示された生体情報よりも少ない情報量を含む領域を指定する操作を意味する。
【００２６】
所定の操作としては、物理的スイッチの操作、タッチ入力パネルへのタッチ操作入力、音声指示入力、視線指示入力などが例示されうる。
【００２７】
その結果、図４の（Ｂ）に示されるように、指定された波形の一部のトリミング画像Ｔがディスプレイ１２に表示される（図２におけるＳＴＥＰ３）。トリミング画像Ｔは、独立した表示領域として提供され、ユーザインターフェース１３を通じて指定されたディスプレイ１２の一部領域に初めに表示されていた画像情報のみを含んでいる。
【００２８】
携帯情報端末１のディスプレイ１２は、比較的小さいことが一般的である。したがって、視認性を優先して波形の画像を大きくすると表示可能な情報量が制限され、一覧性を優先して多くの生体情報を表示すると、個々の情報の大きさが小さくなることが避けられない。しかしながら、上記の構成によれば、まず所望量の生体情報がディスプレイ１２に表示されることによって一覧性が確保される。続いてより詳細な確認を要する箇所が指定されると、当該箇所の画像情報のみを含むトリミング画像Ｔが独立して表示されるので、被検者自身や医療従事者を含むユーザの視線がトリミング画像Ｔ内に導かれ、波形の注視が容易とされる。したがって、携帯情報端末１の比較的小さな表示領域に生体情報が表示される場合において、ユーザによる情報の確認作業を支援できる。
【００２９】
図示された例においては、トリミング画像Ｔは、初めにディスプレイ１２に表示された波形に重畳して表示されている。すなわち、初めにディスプレイ１２に表示された波形のうち、確認の重要度が相対的に低い部分は、トリミング画像Ｔによって覆い隠される。
【００３０】
このような構成によれば、ディスプレイ１２の限られた表示領域を最大限に活用しつつ、トリミング画像Ｔへの視線誘導をより容易にできる。
【００３１】
このとき、図５の（Ａ）に示されるように、トリミング画像Ｔの背後に位置する波形の視認性を低下させてもよい。視認性の低下は、波形を含む画面のグレイアウトや波形画像のオフフォーカスといった画像処理により実現されうる。図５の（Ｂ）に示されるように、初めにディスプレイ１２に表示された波形を完全に消去してもよい。
【００３２】
このような構成によれば、トリミング画像Ｔ内の画像情報への注意力をより高めることができる。
【００３３】
図示された各例のように、トリミング画像Ｔは、指定された波形の一部の拡大画像を含みうる。
【００３４】
このような構成によれば、指定された波形の一部についてより詳細な情報を取得することが容易になる。
【００３５】
図５の（Ｂ）において破線で囲まれた領域Ｒには、トリミング画像Ｔに含まれる波形の一部の付帯情報が表示されうる。付帯情報とは、当該波形の一部に関連付けられて記録された波形以外の情報を意味する。付帯情報としては、当該波形に係る生体パラメータの名称、特徴的な測定値（最大値、最小値、平均値など）、アラーム情報（測定値の所定範囲からの逸脱、不整脈判定など）、測定時刻情報、測定時刻に関連付けられたイベント情報などが例示されうる。
【００３６】
このような構成によれば、ディスプレイ１２の限られた表示領域を最大限に活用しつつ、ユーザによる情報確認を支援しうるより多くの情報を提供できる。
【００３７】
図４の（Ａ）と（Ｂ）に示された例においては、波形の一部を指定してトリミング画像Ｔを表示させるためにユーザインターフェース１３が受け付ける所定の操作は、タッチパネル装置に対して行なわれるピンチアウト操作である。
【００３８】
このような構成によれば、初めにディスプレイ１２に表示された生体情報の一部を、直観的かつ容易に指定できる。したがって、携帯情報端末１の比較的小さな表示領域に多くの生体情報が表示される場合において、ユーザによる情報の確認作業を支援できる。
【００３９】
上記の生体情報管理方法は、携帯情報端末１のプロセッサが生体情報管理プログラムを実行することによって実現される。当該プログラムは、プロセッサと協働するメモリに予め組み込まれていてもよいし、当該プログラムを記憶している記憶媒体から読み出してもよい。そのような記憶媒体は、ＳＤカードやＵＳＢメモリのような可搬型記憶媒体として提供されてもよいし、携帯情報端末１が通信ネットワークを介して接続可能なサーバ装置が備える記憶媒体であってもよい。
【００４０】
上記の実施形態は、本発明の理解を容易にするための例示にすぎない。上記の実施形態に係る構成は、本発明の趣旨を逸脱しなければ、適宜に変更・改良されうる。
【符号の説明】
【００４１】
１：携帯情報端末、１１：無線通信装置、１２：ディスプレイ、１３：ユーザインターフェース、１４：制御部、２：センサ、Ｓ：センサ信号、Ｔ：トリミング画像
【図１】
2019168951.tif 000003
【図２】
2019168951.tif 000004
【図３】
2019168951.tif 000005
【図４】
2019168951.tif 000006
【図５】
2019168951.tif 000007